(57)【特許請求の範囲】
【請求項１】
無線により識別符号を送受信可能な開錠対象物と、無線により識別符号を送受信可能な複数の電子鍵装置とを有し、
前記複数の電子鍵装置は、前記開錠対象物から送信された識別符号を発端として、受信した識別符号が記憶している識別符号と一致し正しい場合に、既に使用された識別符号とは異なる識別符号を次段の電子鍵装置に送信することを連鎖的に繰り返し、最終段の電子鍵装置から所定の識別符号を前記開錠対象物に送信し、
前記開錠対象物は前記最終段の電子鍵装置から送信された前記識別符号を受信してそれが記憶している識別符号と一致し正しい場合に開錠操作が行われることを特徴とする開錠方法。
【請求項２】
無線により識別符号を送受信可能な開錠対象物と、無線により識別符号を送受信可能な複数の電子鍵装置とを有し、
前記複数の電子鍵装置は、前記開錠対象物から送信された識別符号を発端として、受信した識別符号が記憶している識別符号と一致し正しい場合に、かつ検出した生体的特徴から電子鍵装置所有者が正規の所有者と認めた場合に、既に使用された識別符号とは異なる識別符号を次段の電子鍵装置に送信することを連鎖的に繰り返し、最終段の電子鍵装置から所定の識別符号を前記開錠対象物に送信し、
前記開錠対象物は前記最終段の電子鍵装置から送信された前記識別符号を受信してそれが記憶している識別符号と一致し正しい場合に開錠操作が行われることを特徴とする開錠方法。
【発明の詳細な説明】
【０００１】
【発明の属する技術分野】
本発明は開錠対象物、例えば金庫の開錠を行う開錠方法に関する。
【０００２】
【従来の技術】
従来、金庫の開錠方法として、例えば特開昭６０−１２８７６４号公報に開示されるものがある。これは次のような方法である。金庫収納員は現場に行き、公衆電話機から電話局の受付台に電話をする。金庫収納員と受付台の対応者は通話を行い、通話の中で金庫収納員はプッシュボタンダイヤルを利用してＩＤ番号を送出するか、又は音声により暗号を伝える。次に受付台の対応者はＩＤ番号又は暗号を照合し、正規であることが判明したならば公衆電話機にロック開放指令を送出すると同時に今回のＩＤ番号又は暗号を無効とし新しいＩＤ番号又は暗号を設定する。このロック開放指令により公衆電話機のロックＡの機構は開放され、金庫収納員は合鍵を使用してロックＢの機構を開放する。以上で金庫が開錠する。
【０００３】
【発明が解決しようとする課題】
しかしながら、上記のような従来の開錠方法では、金庫を開錠するために専用のオペレータが必要で省力化が図れないという問題点があった。また、１つのＩＤ番号を知ることができれば、単独者が開錠をすることが可能であり、セキュリティの確保に限界があった。
【０００４】
本発明は上記の点に鑑みなされたもので、開錠対象物側のシステムを無人化して省力化が可能であり、しかも高いセキュリティを確保することができる開錠方法を提供することを目的とする。
【０００５】
【課題を解決するための手段】
本発明の第１の開錠方法は、無線により識別符号を送受信可能な開錠対象物と、無線により識別符号を送受信可能な複数の電子鍵装置とを有し、前記複数の電子鍵装置は、前記開錠対象物から送信された識別符号を発端として、受信した識別符号が記憶している識別符号と一致し正しい場合に、既に使用された識別符号とは異なる識別符号を次段の電子鍵装置に送信することを連鎖的に繰り返し、最終段の電子鍵装置から所定の識別符号を前記開錠対象物に送信し、前記開錠対象物は前記最終段の電子鍵装置から送信された前記識別符号を受信してそれが記憶している識別符号と一致し正しい場合に開錠操作が行われることを特徴とする。
【０００６】
本発明の第２の開錠方法は、無線により識別符号を送受信可能な開錠対象物と、無線により識別符号を送受信可能な複数の電子鍵装置とを有し、前記複数の電子鍵装置は、前記開錠対象物から送信された識別符号を発端として、受信した識別符号が記憶している識別符号と一致し正しい場合に、かつ検出した生体的特徴から電子鍵装置所有者が正規の所有者と認めた場合に、既に使用された識別符号とは異なる識別符号を次段の電子鍵装置に送信することを連鎖的に繰り返し、最終段の電子鍵装置から所定の識別符号を前記開錠対象物に送信し、前記開錠対象物は前記最終段の電子鍵装置から送信された前記識別符号を受信してそれが記憶している識別符号と一致し正しい場合に開錠操作が行われることを特徴とする。
【０００９】
【発明の実施の形態】
次に添付図面を参照して本発明による開錠方法の実施の形態を詳細に説明する。図１は本発明の開錠方法の第１の実施の形態を説明するために第１の金庫装置を示す構成図である。この第１の金庫装置は、金庫１０と、第１の電子鍵装置２０と、第2の電子鍵装置３０とからなる。電子鍵装置の個数はセキュリティの高さによって容易に増減できるが、ここでは2個とする。
【００１０】
金庫１０は、送受信部１１と、制御部１２と、施錠・開錠機構部１３と、メモリ１４とを有する。メモリ１４には、識別符号（以下ＩＤという）として“Ａ”と“Ｃ”とが記憶される。そして、この金庫１０は、メモリ１４に記憶されたＩＤ＝Ａを常にＩＤ１として送受信部１１より送信している。一方、送受信部１１でＩＤが受信され、そのＩＤが“Ｃ”であることがメモリ１４に記憶されたＩＤ＝Ｃとの比較で制御部１２で判別されると、制御部１２により施錠・開錠機構部１３が操作されて、金庫１０の開錠が行われる。
【００１１】
第１の電子鍵装置２０は第１開錠者２０ａが所有する。この第１の電子鍵装置２０は、送受信部２１と、判別部２２と、メモリ２３とを有する。メモリ２３には、ＩＤとして“Ａ”と“Ｂ”とが記憶される。そして、この第１の電子鍵装置２０は、送受信部２１でＩＤを受信したとき、そのＩＤが“Ａ”であることがメモリ２３に記憶されたＩＤ＝Ａとの比較で判別部２２により判別されると、メモリ２３に記憶されたＩＤ＝ＢがＩＤ２として送受信部２１から送信される。すなわち、第１の電子鍵装置２０は、金庫１０から正規のＩＤ（ＩＤ＝Ａ）を受信すると、ＩＤ２としてＩＤ＝Ｂを送信する。
【００１２】
第２の電子鍵装置３０は第2開錠者３０ａが所有する。この第2の電子鍵装置３０は、第１の電子鍵装置２０と同様に送受信部３１と、判別部３２と、メモリ３３とを有するが、メモリ３３にはＩＤとして“Ｂ”と“Ｃ”とが記憶される。そして、この第２の電子鍵装置３０は、送受信部３１でＩＤを受信したとき、そのＩＤが“Ｂ”であることがメモリ３３に記憶されたＩＤ＝Ｂとの比較で判別部３２により判別されると、メモリ３３に記憶されたＩＤ＝ＣがＩＤ３として送受信部３１から送信される。すなわち、第２の電子鍵装置３０は、第１の電子鍵装置２０から正規のＩＤ（ＩＤ＝Ｂ）を受信すると、ＩＤ３としてＩＤ＝Ｃを送信する。
【００１３】
なお、送受信部１１，２１，３１は全て例えば、マスター（サーバー）とスレーブ（クライアント）間で近距離の双方向無線通信システムで行う。周波数帯域は、特別な免許を必要とせず、ほぼ全世界で共通に使用できるＩＳＭ（２．４ＧＨｚ帯）を利用する。この無線通信システムでは、特定の端末を識別できるように端末識別番号がそれぞれ個別に割り当てられる。端末識別番号は書き換えができないように、不揮発性メモリにストアされる。
【００１４】
また、データの通信を行う前に、通信相手が通信エリア内に入ったことを検出する機能を持つ。そして通信相手を検出した後、接続相手を選択或いは接続相手として適しているか判断し、データの通信を行うために接続処理（呼び出し）を行う。
検出する側をマスターとすると、マスター側は検出及び接続ボタンを持つ。ユーザーが検出ボタンを押すことによって、マスターは検出信号を送信し、応答信号の受信を待つ。検出される側（スレーブ）は検出信号を受信するために、周期的に受信動作を行い、検出信号を受信したら、自分の端末識別番号を応答信号として送り返す。
そして、マスター側は応答信号の受信に成功したら、端末識別番号を例えば表示器等を設け表示する。ユーザーが接続を望む場合は、接続相手を選択し接続ボタンを押すことで、マスターは接続処理に入り、データの通信を開始する。
【００１５】
本実施例はマスターと複数のスレーブとの通信、マスターを中心としたリンクを構成する。
通信接続を開始すると、マスターはスレーブに対して一時的なアドレスを割り当てる。スレーブは、受信したアドレスから自分宛であるかどうかを判断し、自分宛の場合はデータを取り込み、自分宛でない場合は破棄する。マスターとスレーブのデータ通信が行われている間でも、上記通信エリア内の端末検出・接続手順を行うことにより、スレーブを随時追加できる。また、データ通信終了時にはスレーブに割り当てた一時的なアドレスを放棄することができる。このように、時分割にスレーブの追加・放出を繰り返すことによって、数多くの端末と通信が可能となる。
【００１６】
このような装置における金庫１０の開錠動作を図２のフローチャートを参照して説明する。金庫１０は常にＩＤ１としてＩＤ＝Ａを送信する（ステップＳ１）。このＩＤ１を第１の電子鍵装置２０が受信する（ステップＳ２）。すると、第１の電子鍵装置２０は、受信したＩＤ１がＩＤ＝Ａであるか、すなわち金庫１０からの正規のＩＤであるか判別する（ステップＳ３）。そして、ＩＤ１がＩＤ＝Ａであると判別されると、第１の電子鍵装置２０はＩＤ２としてＩＤ＝Ｂを送信する（ステップＳ４）。このＩＤ２を第２の電子鍵装置３０が受信する（ステップＳ５）。すると、第２の電子鍵装置３０は、受信したＩＤ２がＩＤ＝Ｂであるか、すなわち第１の電子鍵装置２０からの正規のＩＤであるか判別する（ステップＳ６）。そして、ＩＤ２がＩＤ＝Ｂであると判別されると、第２の電子鍵装置３０はＩＤ３としてＩＤ＝Ｃを送信する（ステップＳ７）。このＩＤ３を金庫１０が受信する（ステップＳ８）。すると、金庫１０は、受信したＩＤ３がＩＤ＝Ｃであるか、すなわち第２の電子鍵装置３０からの正規のＩＤであるか判別する（ステップＳ９）。そして、ＩＤ３がＩＤ＝Ｃであると判別されると、金庫１０で制御部１２により施錠・開錠機構部１３が操作されて開錠が行われる（ステップＳ１０）。
【００１７】
以上のように上記の装置によると、第１開錠者２０ａおよび第2開錠者３０ａが所有する第１の電子鍵装置２０および第2の電子鍵装置３０を持ち寄って複数のＩＤを使用してそれらが正しく送受信された場合にのみ金庫１０で開錠が行われる。したがって、セキュリティが高い。また、機密性の高さによって電子鍵装置の数を容易に増減でき、適切なセキュリティの保持が可能である。さらに、金庫１０側のシステムは無人化することができ、省力化を図ることができる。
【００１８】
図３は本発明の開錠方法の第２の実施の形態を説明するために第２の金庫装置を示す構成図である。この第2の金庫装置では、第１の電子鍵装置２０が送信したＩＤ２と第2の電子鍵装置３０が送信したＩＤ３の両方を金庫１０が受信して、これらＩＤ２とＩＤ３がＩＤ＝ＢおよびＩＤ＝Ｃであると判別されたとき、すなわち、金庫１０が第１および第2の電子鍵装置２０，３０の両方から正規のＩＤを受信したとき、金庫１０の制御部１２で施錠・開錠機構部１３を操作して金庫１０の開錠が行われる。その他は図１の第１の金庫装置と同様であり、図中同一部分には図１と同一符号を付す。なお、金庫１０のメモリ１４には、第１および第2の電子鍵装置２０，３０から受信したＩＤ２とＩＤ３が“Ｂ”および“Ｃ”であることを判別するために比較用のＩＤ“Ｂ”および“Ｃ”が記憶される。
【００１９】
この第2の金庫装置における詳細な開錠動作が図４のフローチャートに示されている。これを説明すると、金庫１０は常にＩＤ１としてＩＤ＝Ａを送信する（ステップＳ２１）。このＩＤ１を第１の電子鍵装置２０が受信する（ステップＳ２２）。すると、第１の電子鍵装置２０は、受信したＩＤ１がＩＤ＝Ａであるか、すなわち金庫１０からの正規のＩＤであるか判別する（ステップＳ２３）。そして、ＩＤ１がＩＤ＝Ａであると判別されると、第１の電子鍵装置２０はＩＤ２としてＩＤ＝Ｂを送信する（ステップＳ２４）。このＩＤ２を第２の電子鍵装置３０が受信する（ステップＳ２５）。同時にＩＤ２は金庫１０で受信され、金庫１０のメモリ１４に記憶される（ステップＳ２６）。第２の電子鍵装置３０は、受信したＩＤ２がＩＤ＝Ｂであるか、すなわち第１の電子鍵装置２０からの正規のＩＤであるか判別する（ステップＳ２７）。そして、ＩＤ２がＩＤ＝Ｂであると判別されると、第２の電子鍵装置３０はＩＤ３としてＩＤ＝Ｃを送信する（ステップＳ２８）。このＩＤ３を金庫１０が受信し（ステップＳ２９）、ＩＤ３を金庫１０のメモリ１４に記憶する（ステップＳ３０）。同時に、金庫１０は、メモリ１４に記憶したＩＤ３がＩＤ＝Ｃであるか、かつステップＳ２６でメモリ１４に記憶したＩＤ２がＩＤ＝Ｂであるか、すなわち第１および第２の電子鍵装置２０，３０から正規のＩＤを受信したか判別する（ステップＳ３１）。そして、ＩＤ２がＩＤ＝Ｂ、ＩＤ３がＩＤ＝Ｃであると判別されると、金庫１０で制御部１２により施錠・開錠機構部１３が操作されて開錠が行われる（ステップＳ３２）。
【００２０】
このような第2の金庫装置によれば、第１の電子鍵装置２０と第2の電子鍵装置３０からの両方のＩＤを金庫１０が受信するようにしたので、セキュリティをより高くすることができる。
【００２１】
図５は本発明の開錠方法の第３の実施の形態を説明するために第３の金庫装置を示す構成図である。この第３の金庫装置では、第１の電子鍵装置２０と第2の電子鍵装置３０の両方にセンサ２４，３４が付加される。第１の電子鍵装置２０に付加されたセンサ２４は、第１の電子鍵装置２０の所有者の生体的特徴（例えば指紋）を検出して、第１の電子鍵装置２０の所有者が正規の所有者（第１開錠者２０ａ）であるかを検出する。詳細には、センサ２４から得られた情報と、予めメモリ２３に記憶してある正規所有者の生体的特徴の情報とを判別部２２で比較して、第１の電子鍵装置２０の所有者が正規の所有者であるかを検出する。そして、第１の電子鍵装置２０は、上記のようにして所有者が正規の所有者であると判別され、かつ受信したＩＤが金庫１０からの正規のＩＤ（ＩＤ＝Ａ）であるとき、ＩＤ２としてＩＤ＝Ｂを送信する。
【００２２】
同様に、第２の電子鍵装置３０に付加されたセンサ３４は、第２の電子鍵装置３０の所有者の生体的特徴（例えば指紋）を検出して、第２の電子鍵装置３０の所有者が正規の所有者（第２開錠者３０ａ）であるかを検出する。詳細には、センサ３４から得られた情報と、予めメモリ３３に記憶してある正規所有者の生体的特徴の情報とを判別部３２で比較して、第２の電子鍵装置３０の所有者が正規の所有者であるかを検出する。そして、第２の電子鍵装置３０は、上記のようにして所有者が正規の所有者であると判別され、かつ受信したＩＤが第１の電子鍵装置２０からの正規のＩＤ（ＩＤ＝Ｂ）であるとき、ＩＤ３としてＩＤ＝Ｃを送信する。第３の金庫装置のその他の構成は図１の第１の金庫装置と同一であり、図中同一部分には図１と同一符号を付す。
【００２３】
この第３の金庫装置における詳細な開錠動作が図６のフローチャートに示されている。これを説明すると、金庫１０は常にＩＤ１としてＩＤ＝Ａを送信する（ステップＳ４１）。このＩＤ１を第１の電子鍵装置２０が受信する（ステップＳ４２）。すると、第１の電子鍵装置２０は、受信したＩＤ１がＩＤ＝Ａであるか、すなわち金庫１０からの正規のＩＤであるか判別する（ステップＳ４３）。そして、ＩＤ１がＩＤ＝Ａであると、第１の電子鍵装置２０はさらにセンサ２４からの情報を基に所有者が正規の所有者であるか判別する（ステップＳ４４）。そして、所有者も正規の所有者であると判別されると、第１の電子鍵装置２０はＩＤ２としてＩＤ＝Ｂを送信する（ステップＳ４５）。このＩＤ２を第２の電子鍵装置３０が受信する（ステップＳ４６）。すると、第２の電子鍵装置３０は、受信したＩＤ２がＩＤ＝Ｂであるか、すなわち第１の電子鍵装置２０からの正規のＩＤであるか判別する（ステップＳ４７）。そして、ＩＤ２がＩＤ＝Ｂであると、第２の電子鍵装置３０はさらにセンサ３４からの情報を基に所有者が正規の所有者であるか判別する（ステップＳ４８）。そして、所有者も正規の所有者であると判別されると、第２の電子鍵装置３０はＩＤ３としてＩＤ＝Ｃを送信する（ステップＳ４９）。このＩＤ３を金庫１０が受信する（ステップＳ５０）。すると、金庫１０は、受信したＩＤ３がＩＤ＝Ｃであるか、すなわち第２の電子鍵装置３０からの正規のＩＤであるか判別する（ステップＳ５１）。そして、ＩＤ３がＩＤ＝Ｃであると判別されると、金庫１０で制御部１２により施錠・開錠機構部１３が操作されて開錠が行われる（ステップＳ５２）。
【００２４】
このような第３の金庫装置によれば、第１および第2の電子鍵装置２０，３０で所有者が正規かということも判断して第１および第２の電子鍵装置２０，３０からＩＤを送信するようにしたので、よりセキュリティが高まる。
【００２５】
なお、以上の実施の形態は、金庫を開錠する場合について説明したが、本発明の開錠方法は、出入口扉など他の開錠対象物を開錠する場合にも勿論利用できる。
【００２６】
【発明の効果】
以上詳細に説明したように本発明の開錠方法によれば、無線と複数の識別符号を使用して開錠することにより、開錠対象物側のシステムを無人化して省力化が可能であり、しかもセキュリティを高めることができる。
【図面の簡単な説明】
【図１】本発明による開錠方法の第１の実施の形態を説明するために第１の金庫装置を示す構成図。
【図２】第１の金庫装置における開錠動作を詳細に示すフローチャート。
【図３】本発明による開錠方法の第２の実施の形態を説明するために第２の金庫装置を示す構成図。
【図４】第２の金庫装置における開錠動作を詳細に示すフローチャート。
【図５】本発明による開錠方法の第３の実施の形態を説明するために第３の金庫装置を示す構成図。
【図６】第３の金庫装置における開錠動作を詳細に示すフローチャート。
【符号の説明】
１０  金庫
２０  第１の電子鍵装置
３０  第2の電子鍵装置
【図１】
0003864300.tif 000002
【図２】
0003864300.tif 000003
【図３】
0003864300.tif 000004
【図４】
0003864300.tif 000005
【図５】
0003864300.tif 000006
【図６】
0003864300.tif 000007